【手続補正書】
【提出日】平成27年8月20日(2015.8.20)
【手続補正１】
【補正対象書類名】特許請求の範囲
【補正対象項目名】全文
【補正方法】変更
【補正の内容】
【特許請求の範囲】
【請求項１】
（ａ）コンテンツを求めるダウンロード要求をワイアレス装置から受信することと、
（ｂ）前記ワイアレス装置が前記コンテンツに関連する対話型スクリーンを有するかどうかを決定することと、
（ｃ）前記ワイアレス装置が前記コンテンツに関連する前記対話型スクリーンを有するという決定に基づいて、前記対話型スクリーンを送信せずに前記ワイアレス装置に前記コンテンツを送信することと、及び
（ｄ）前記ワイアレス装置が前記コンテンツに関連する前記対話型スクリーンを有さないという決定に基づいて、前記ダウンロード要求に関連する前記コンテンツを送信する前に前記ワイアレス装置に前記対話型スクリーンを送信することと、を具備する、前記ワイアレス装置のための対話型スクリーンを処理するための方法。
【請求項２】
（ｄ）の後に、前記対話型スクリーンに対する前記ワイアレス装置の満足な作用を示す信号を受信することと、
前記ワイアレス装置の前記満足な作用を示す前記信号を受信した後に、前記ワイアレス装置によって要求された前記コンテンツを送信することと、をさらに具備する、請求項１に記載の方法。
【請求項３】
前記満足な作用は、ライセンス・アグリーメントの許可を具備する、請求項２に記載の方法。
【請求項４】
前記満足な作用は、前記ワイアレス装置のユーザの年令に関する情報を供給することを具備する、請求項２に記載の方法。
【請求項５】
前記コンテンツはデータを具備する、請求項１に記載の方法。
【請求項６】
前記コンテンツはアプリケーションを具備する、請求項１に記載の方法。
【請求項７】
前記コンテンツおよび前記対話型スクリーンは同じサーバに記憶される、請求項１に記載の方法。
【請求項８】
前記コンテンツおよび前記対話型スクリーンは異なるサーバに記憶される、請求項１に記載の方法。
【請求項９】
前記コンテンツおよび前記対話型スクリーンは同じサーバによって送信される、請求項１に記載の方法。
【請求項１０】
前記コンテンツおよび前記対話型スクリーンは異なるサーバによって送信される、請求項１に記載の方法。
【請求項１１】
コンテンツを求めるダウンロード要求をワイアレス・ネットワーク上のワイアレス装置から受信するための手段と、
前記ワイアレス装置が前記コンテンツに関連する対話型スクリーンを有するかどうかを決定するための手段と、及び
前記ワイアレス装置に前記コンテンツおよび前記対話型スクリーンを送信するための手段と、を具備し、
ここにおいて、前記送信するための手段は、前記ワイアレス装置が前記対話型スクリーンを有するという決定に基づいて、前記対話型スクリーンの送信なしに前記ワイアレス装置に前記コンテンツを送信し、
前記送信するための手段は、前記ワイアレス装置が前記対話型スクリーンを有さないという決定に基づいて、前記コンテンツの送信前に前記ワイアレス装置に前記対話型スクリーンを送信する、前記ワイアレス装置をサポートするためのシステム。
【請求項１２】
前記対話型スクリーンに対する前記ワイアレス装置の満足な作用を示す信号を受信するための手段、をさらに具備する、請求項１１に記載のシステム。
【請求項１３】
前記満足な作用は、ライセンス・アグリーメントの許可を具備する、請求項１２に記載のシステム。
【請求項１４】
前記満足な作用は、前記ワイアレス装置のユーザの年令に関する情報を供給することを具備する、請求項１２に記載のシステム。
【請求項１５】
（ａ）コンテンツを求めるダウンロード要求をワイアレス装置から受信するための少なくとも１つの命令と、
（ｂ）前記ワイアレス装置が前記コンテンツに関連する対話型スクリーンを有するかどうかを決定するための少なくとも１つの命令と、
（ｃ）前記ワイアレス装置が前記コンテンツに関連する前記対話型スクリーンを有するという決定に基づいて、前記対話型スクリーンの送信なしに前記ワイアレス装置に前記コンテンツを送信するための少なくとも１つの命令と、及び
（ｄ）前記ワイアレス装置が前記コンテンツに関連する前記対話型スクリーンを有さないという決定に基づいて、前記ダウンロード要求に関連する前記コンテンツの送信前に前記ワイアレス装置に前記対話型スクリーンを送信するための少なくとも１つの命令と、
を具備するコンピュータ読み取り可能な媒体、を具備する、コンピュータ読み取り可能な製品。
【請求項１６】
（ｄ）の後に、前記対話型スクリーンに対する前記ワイアレス装置の満足な作用を示す信号を受信するための少なくとも１つの命令と、
前記ワイアレス装置の前記満足な作用を示す前記信号の受信後に、前記ワイアレス装置によって要求された前記コンテンツを送信するための少なくとも１つの命令と、をさらに具備する、請求項１５に記載のコンピュータ読み取り可能な製品。
【請求項１７】
前記満足な作用は、ライセンス・アグリーメントの許可を具備する、請求項１６に記載のコンピュータ読み取り可能な製品。
【請求項１８】
前記満足な作用は、前記ワイアレス装置のユーザの年令に関する情報を供給することを具備する、請求項１６に記載のコンピュータ読み取り可能な製品。
【請求項１９】
コンテンツを求めるダウンロード要求をワイアレス装置から受信したら、前記ワイアレス装置が前記コンテンツに関連する対話型スクリーンを有するかどうかを決定するように構成されたロジックと、
前記ワイアレス装置が前記コンテンツに関連する前記対話型スクリーンを有するという決定に基づいて、前記対話型スクリーンの送信なしに前記ワイアレス装置に要求された前記コンテンツを送信するように構成されたロジックと、及び
前記ワイアレス装置が前記コンテンツに関連する前記対話型スクリーンを有さないという決定に基づいて、前記ダウンロード要求に関連する前記コンテンツの送信前に前記ワイアレス装置に前記対話型スクリーンを送信するように構成されたロジックと、を具備する、ワイアレス・ネットワークにわたってコンテンツをダウンロードすることを望む前記ワイアレス装置のための前記対話型スクリーンの提示を制御するコンピュータ装置。
【請求項２０】
前記対話型スクリーンに対する前記ワイアレス装置の満足な作用を示す信号を受信するように構成されたロジックと、
前記ワイアレス装置の前記満足な作用を示す前記信号の受信後に、前記ワイアレス装置によって要求された前記コンテンツを送信するように構成されたロジックと、をさらに具備する、請求項１９に記載のコンピュータ装置。
【請求項２１】
前記満足な作用を示す前記信号を受信するように構成された前記ロジックは、ライセンス・アグリーメントの許可を示す信号を受信するように構成される、請求項２０に記載のコンピュータ装置。
【請求項２２】
前記満足な作用を示す前記信号を受信するように構成された前記ロジックは、前記ワイアレス装置のユーザの年令に関する情報の供給を示す信号を受信するように構成される、請求項２０に記載のコンピュータ装置。
【請求項２３】
前記コンピュータ装置は、前記ワイアレス装置によって要求された前記対話型スクリーンおよび前記コンテンツを記憶するように構成されたロジックをさらに具備する、請求項１９に記載のコンピュータ装置。
【請求項２４】
前記コンピュータ装置は、別のコンピュータ装置に記憶された前記対話型スクリーンの送信を、コンテンツを要求する前記ワイアレス装置に向けるように構成されたロジックおよび前記コンテンツを記憶するように構成されたロジックをさらに具備する、請求項１９に記載のコンピュータ装置。